(57)【要約】【課題】製造性を向上した液晶プロジェクタを提供する。【解決手段】投射レンズ鏡筒６の上下方向の移動に対して相対的に固定した第１の本体部２２に第１のガイド部３２を設ける。投射レンズ鏡筒６の左右方向の移動に対して相対的に固定した第２の本体部５２に第２のガイド部９３を設ける。各被ガイド部５６，１０４を、各本体部２２，５２に取り付けた各本体部５２，１０２に設ける。各本体部２２，５２に対する各本体部５２，１０２の移動を、各ガイド部３２，９３にて直接ガイドできる。ガイドポールを別個に設ける必要がないので、部品点数の低減およびコンパクト化が可能となる。ガイドポールの取り付け工程が不要となるから、製造性を向上できる。【選択図】        図１
2004317913.tif 000002
【特許請求の範囲】
【請求項１】
光学機器本体に対して鏡筒を光軸と交差する所定の方向に沿って移動可能に支持する鏡筒支持装置であって、
ガイド部を備え、鏡筒の移動方向に対して相対的に固定された筐体側基盤部と、
前記ガイド部に摺接して案内される被ガイド部を備え、前記筐体側基盤部に取り付けられた鏡筒側基盤部と
を具備したことを特徴とした鏡筒支持装置。
【請求項２】
筐体側基盤部は、
鏡筒の光軸に交差する方向に沿って設けられた枠状の筐体側外周側面と、
この筐体側外周側面から光軸に向かう方向に沿って延設された筐体側内周側面とを備え、
鏡筒側基盤部は、
鏡筒の光軸に交差する方向に沿って設けられた枠状の鏡筒側外周側面と、
この鏡筒側外周側面から光軸に向かう方向に沿って延設された鏡筒側内周側面とを備えている
ことを特徴とした請求項１記載の鏡筒支持装置。
【請求項３】
筐体側基盤部および鏡筒側基盤部は、いずれか一方がいずれか他方の内側に配置され、
ガイド部は、筐体側外周側面の互いに対向する一対の辺部に設けられ、
被ガイド部は、前記ガイド部が設けられた前記筐体側外周側面の一対の辺部に対向する鏡筒側外周側面の一対の辺部に設けられ、
前記筐体側外周側面の前記ガイド部が設けられている一対の辺部と異なる辺部、および、前記鏡筒側外周側面の前記被ガイド部が設けられている一対の辺部と異なる辺部の少なくともいずれか一方の一部は、前記鏡筒側基盤部の移動を規制するストッパ部である
ことを特徴とした請求項２記載の鏡筒支持装置。
【請求項４】
筐体側外周側面および筐体側内周側面の間と、鏡筒側外周側面および鏡筒側内周側面の間との少なくともいずれか一方には、各辺部にそれぞれ２つ以上のリブが一体に設けられている
ことを特徴とした請求項２または３記載の鏡筒支持装置。
【請求項５】
照明光を照射する光源と、
この光源から照射された照明光を変調する光変調手段と、
この光変調手段で変調された照明光を投射する鏡筒と、
光学機器本体と、
この光学機器本体に対して前記鏡筒を光軸と交差する所定の方向に沿って移動可能に支持する請求項１ないし４いずれか一記載の鏡筒支持装置と
を具備したことを特徴とした投射型表示装置。
【請求項６】
照明光を照射する光源と、
この光源から照射された照明光を変調する光変調手段と、
この光変調手段で変調された照明光を投射する鏡筒と、
光学機器本体と、
この光学機器本体に対して前記鏡筒を光軸と交差する所定の方向に沿って移動可能に支持する請求項４記載の鏡筒支持装置と、
前記鏡筒に設けられ、この鏡筒が鏡筒側基盤部に支持された状態で外側部がリブの近傍に位置し、かつ前記鏡筒側基盤部の鏡筒側内周側面の面積の２分の１以上と互いに重なり合うようにこの鏡筒側内周側面に固定されるフランジと
を具備したことを特徴とした投射型表示装置。
【発明の詳細な説明】
【０００１】
【発明の属する技術分野】
本発明は、光学機器本体に対して鏡筒を光軸と交差する所定の方向に沿って移動可能に支持する鏡筒支持装置およびこれを備えた投射型表示装置に関する。
【０００２】
【従来の技術】
従来、この種の投射型表示装置としてのプロジェクタ装置には、照明光を照射する光源、この光源から照射された照明光を変調する光変調手段としてのＬＣＤパネル、および、このＬＣＤパネルで変調された照明光をスクリーンなどに投射像として投射する鏡筒としての投射レンズ鏡筒がそれぞれ設けられている。そして、プロジェクタ装置には、このプロジェクタ装置を設置するテーブルなどの固定台の高さ、あるいはスクリーンの高さなどに応じて投射像の上下位置を移動可能に支持する鏡筒支持装置を設けたものがある。
【０００３】
この鏡筒支持装置は、投射レンズ鏡筒を支持するマウント部を備えている。このマウント部には、このマウント部の上下方向の移動を案内、すなわちガイドするガイドポールに挿通されたスリーブが設けられている。また、ガイドポールには、マウント部を移動させるリードスクリュがガイドポールと平行に設けられている。このリードスクリュは、モータにより回転駆動されることでマウント部を上下方向に移動させる。このモータは、マウント部の移動範囲を規制するために、ポテンショメータなどの電気スイッチによりマウント部の移動位置を検出し、投射レンズ鏡筒が所定の位置まで移動した際に、停止される構造となっている。
【０００４】
また、ガイドポールには、マウント部の移動を阻止するストッパが設けられている。このストッパは、電気スイッチの故障などによりマウント部が所定の停止位置まで移動しているにも拘らずモータが停止せずに、所定の停止位置を越えてマウント部が移動してマウント部と周囲の他の機構とが接触して損傷するおそれなどを防止するものである（例えば、特許文献１および２参照。）。
【０００５】
【特許文献１】
特開２０００−２５０１３０号公報（第５−６頁、図５）
【０００６】
【特許文献２】
特開２００２−２０６６１５号公報（第３−４頁、図２および図３）
【０００７】
【発明が解決しようとする課題】
しかしながら、上述の投射型表示装置では、マウント部のガイドとなるガイドポールなどを別個に設ける必要があり、部品点数が増加するため、部品点数の低減が容易でないとともに、ガイドポールを配置するスペースを確保する必要があり、小型化が容易でない。
【０００８】
また、ガイドポールなどにストッパを設ける必要があるため、ストッパの取り付け工数を要するなど、組立作業が煩雑となる。
【０００９】
この結果、製造性が良好でないという問題点を有している。
【００１０】
本発明はこのような点に鑑みなされたもので、製造性を向上した鏡筒支持装置およびこれを備えた投射型表示装置を提供することを目的とする。
【００１１】
【課題を解決するための手段】
請求項１記載の鏡筒支持装置は、光学機器本体に対して鏡筒を光軸と交差する所定の方向に沿って移動可能に支持する鏡筒支持装置であって、ガイド部を備え、鏡筒の移動方向に対して相対的に固定された筐体側基盤部と、前記ガイド部に摺接して案内される被ガイド部を備え、前記筐体側基盤部に取り付けられた鏡筒側基盤部とを具備したものである。
【００１２】
そして、鏡筒の移動方向に対して相対的に固定された筐体側基盤部にガイド部を設け、このガイド部に摺接して案内される被ガイド部を、筐体側基盤部に固定された鏡筒側基盤部に設けることで、鏡筒側基盤部の移動を筐体側基盤部のガイド部にて直接案内できるため、例えばガイドポールなどを別個に設ける必要がないので、部品点数の低減および省スペース化が可能となるとともにガイドポールの取り付け工程などが不要となるから、製造性が向上する。
【００１３】
請求項２記載の鏡筒支持装置は、請求項１記載の鏡筒支持装置において、筐体側基盤部は、鏡筒の光軸に交差する方向に沿って設けられた枠状の筐体側外周側面と、この筐体側外周側面から光軸に向かう方向に沿って延設された筐体側内周側面とを備え、鏡筒側基盤部は、鏡筒の光軸に交差する方向に沿って設けられた枠状の鏡筒側外周側面と、この鏡筒側外周側面から光軸に向かう方向に沿って延設された鏡筒側内周側面とを備えているものである。
【００１４】
そして、鏡筒の光軸に交差する方向に沿って枠状の筐体側外周側面を筐体側基盤部に設け、筐体側外周側面の内周側に光軸に向かう方向に沿って筐体側内周側面を延設することで、筐体側基盤部の光軸方向および光軸に交差する方向への剛性が確保されるとともに、鏡筒の光軸に交差する方向に沿って枠状の鏡筒側外周側面を鏡筒側基盤部に設け、鏡筒側外周側面の内周側に光軸に向かう方向に沿って鏡筒側内周側面を延設することで、鏡筒側基盤部の光軸方向および光軸に交差する方向への剛性も確保される。
【００１５】
請求項３記載の鏡筒支持装置は、請求項２記載の鏡筒支持装置において、筐体側基盤部および鏡筒側基盤部は、いずれか一方がいずれか他方の内側に配置され、ガイド部は、筐体側外周側面の互いに対向する一対の辺部に設けられ、被ガイド部は、前記ガイド部が設けられた前記筐体側外周側面の一対の辺部に対向する鏡筒側外周側面の一対の辺部に設けられ、前記筐体側外周側面の前記ガイド部が設けられている一対の辺部と異なる辺部、および、前記鏡筒側外周側面の前記被ガイド部が設けられている一対の辺部と異なる辺部の少なくともいずれか一方の一部は、前記鏡筒側基盤部の移動を規制するストッパ部であるものである。
【００１６】
そして、筐体側基盤部および鏡筒側基盤部のいずれか一方を、いずれか他方の内側に配置し、筐体側外周側面のガイド部が設けられている一対の辺部と異なる辺部、および、鏡筒側外周側面の被ガイド部が設けられている一対の辺部と異なる辺部の少なくともいずれか一方の一部を、鏡筒側基盤部の移動を規制するストッパ部とすることで、別個にストッパ部を設ける必要がなく、部品点数の低減およびストッパ部の取り付け作業の削減などが可能になり、製造性がより向上する。
【００１７】
請求項４記載の鏡筒支持装置は、請求項２または３記載の鏡筒支持装置において、筐体側外周側面および筐体側内周側面の間と、鏡筒側外周側面および鏡筒側内周側面の間との少なくともいずれか一方には、各辺部にそれぞれ２つ以上のリブが一体に設けられているものである。
【００１８】
そして、筐体側外周側面および筐体側内周側面の間と、鏡筒側外周側面および鏡筒側内周側面の間との少なくともいずれか一方の各辺部に、それぞれ２つ以上のリブを設けることで、筐体側基盤部および鏡筒側基盤部の少なくともいずれか一方の剛性が確保される。
【００１９】
請求項５記載の投射型表示装置は、照明光を照射する光源と、この光源から照射された照明光を変調する光変調手段と、この光変調手段で変調された照明光を投射する鏡筒と、光学機器本体と、この光学機器本体に対して前記鏡筒を光軸と交差する所定の方向に沿って移動可能に支持する請求項１ないし４いずれか一記載の鏡筒支持装置とを具備したものである。
【００２０】
そして、請求項１ないし４いずれか一記載の鏡筒支持装置を備えることで、製造性が向上するとともに、光軸と交差する所定の方向に沿って光学機器本体に対して鏡筒が移動可能となり、使い勝手が向上する。
【００２１】
請求項６記載の投射型表示装置は、照明光を照射する光源と、この光源から照射された照明光を変調する光変調手段と、この光変調手段で変調された照明光を投射する鏡筒と、光学機器本体と、この光学機器本体に対して前記鏡筒を光軸と交差する所定の方向に沿って移動可能に支持する請求項４記載の鏡筒支持装置と、前記鏡筒に設けられ、この鏡筒が鏡筒側基盤部に支持された状態で外側部がリブの近傍に位置し、かつ前記鏡筒側基盤部の鏡筒側内周側面の面積の２分の１以上と互いに重なり合うようにこの鏡筒側内周側面に固定されるフランジとを具備したものである。
【００２２】
そして、鏡筒が鏡筒側基盤部に支持された状態で外側部がリブの近傍に位置し、かつ鏡筒側基盤部の鏡筒側内周側面の面積の２分の１以上と互いに重なり合うように鏡筒側内周側面に固定されるフランジを鏡筒に設けることで、鏡筒の重量による鏡筒側内周側面の撓みが減少する。
【００２３】
【発明の実施の形態】
以下、本発明の一実施の形態の投射型表示装置の構成を図１ないし図９を参照して説明する。
【００２４】
図７ないし図９において、１は投射型表示装置としてのプロジェクタ装置である液晶プロジェクタである。この液晶プロジェクタ１は、光学機器本体としての筐体２およびこの筐体２に光を照射する光源３を備えている。また、この液晶プロジェクタ１は、光変調手段である液晶表示素子としての３枚の透過型のＬＣＤパネル４ｒ，４ｇ，４ｂを備えている。さらに、筐体２には、レンズ鏡筒移動機構である鏡筒支持装置５を介して鏡筒としての投射レンズ鏡筒６が取り付けられて、これら筐体２、鏡筒支持装置５および投射レンズ鏡筒６にて光学系ユニットＵが構成されている。そして、この光学系ユニットＵと光源３とは、外装体としての図示しない外装カバーにより外側を覆われている。この外装カバー内には、図示しないファン、制御回路、操作部、表示部、電源装置などが配設されている。
【００２５】
筐体２は、例えば合成樹脂などで成形された主筐体１１およびこの主筐体１１の上部開口を閉塞する図示しない蓋体を備えている。
【００２６】
主筐体１１内には、図７に示すように、光源３から照射された光の照度のむらを低減する２枚のレンズアレイＬＡ１，ＬＡ２、光源３から照射された光の偏向方向を揃える偏向ビームスプリッタ（Ｐｏｌａｒｉｚｅｄ  Ｂｅａｍ  Ｓｐｌｉｔｔｅｒ：ＰＢＳ）Ｓ、重畳レンズであるコンデンサレンズＣＬ１，ＣＬ２、ダイクロイック反射ミラーＤＭ１，ＤＭ２、全反射ミラーである反射ミラーＭ１〜Ｍ４、リレーレンズＲＬ１〜ＲＬ３、紫外線カットフィルタＦ１、紫外線吸収フィルタＦ２、赤色透過フィルタＦ３、および、フィールドレンズＦＬ１，ＦＬ２などの照明光学系がそれぞれ配設されている。
【００２７】
ここで、光源３から照射された光は、レンズアレイＬＡ１，ＬＡ２およびコンデンサレンズＣＬ１を順次通過して反射ミラーＭ１にて側方に反射されてコンデンサレンズＣＬ２を通過した後、ダイクロイック反射ミラーＤＭ１，ＤＭ２によりＲ（赤）、Ｇ（緑）、Ｂ（青）の各色光にそれぞれ色分離される。
【００２８】
そして、Ｒ（赤）の色光は、赤光を透過させるダイクロイック反射ミラーＤＭ１を透過し、赤色透過フィルタＦ３、反射ミラーＭ２およびフィールドレンズＦＬ１を経由して赤色用のＬＣＤパネル４ｒに入射する。
【００２９】
また、Ｇ（緑）の色光は、ダイクロイック反射ミラーＤＭ１にて反射され、かつ緑光を反射する第２のダイクロイック反射ミラーＤＭ２で反射され、フィールドレンズＦＬ２を経由して、緑色用のＬＣＤパネル４ｇに入射する。
【００３０】
さらに、Ｂ（青）の色光は、ダイクロイック反射ミラーＤＭ１にて反射され、かつダイクロイック反射ミラーＤＭ２を透過し、リレーレンズＲＬ１、反射ミラーＭ３、紫外線カットフィルタＦ１、リレーレンズＲＬ２、紫外線吸収フィルタＦ２、反射ミラーＭ４およびリレーレンズＲＬ３を順次経由して、青色用のＬＣＤパネル４ｂに入射する。
【００３１】
そして、主筐体１１の側方には、四角形状の取付凹部１３が凹状に設けられている。この取付凹部１３内には、鏡筒支持装置５に取り付けられたＬＣＤパネル４ｒ，４ｇ，４ｂおよび図示しない直方体状のダイクロイッククロスプリズムが位置する。
【００３２】
また、光源３は、図示しないハロゲンランプなどの白熱電球あるいはメタルハライドランプなどの放電ランプを備えている。この放電ランプの周囲には、この放電ランプから照射された光を反射する放物面状の鏡面を備えたリフレクタ１４が配設されている。この結果、光源３からは、放電ランプから照射された光がリフレクタ１４で反射されてレンズアレイＬＡ１に入射する。
【００３３】
ＬＣＤパネル４ｒ，４ｇ，４ｂは、光源３から照射されてこれらＬＣＤパネル４ｒ，４ｇ，４ｂに入射した照明光を、図示しない映像信号処理回路などにて処理された映像信号に応じて変調させるものである。
【００３４】
なお、以下、光源３からスクリーンに向かう照明光の光軸に対し、スクリーン側を前側、光源３側を後側とし、光源３側から見て、この光軸に交差すなわち直交する第１の方向を上下方向、および、光軸と上下方向とに直交する第２の方向を幅方向、すなわち左右方向として説明する。
【００３５】
鏡筒支持装置５は、上下方向と左右方向のそれぞれの方向に沿って筐体２に対して投射レンズ鏡筒６を移動可能に支持するものである。この鏡筒支持装置５は、図１および図２に示すように、筐体２の主筐体１１に取り付けられる第１のマウント１５、この第１のマウント１５に取り付けられる第２のマウント１６、および、この第２のマウント１６に取り付けられる第３のマウント１７を備えている。また、第２のマウント１６および第３のマウント１７により、光軸と直交する上下方向および幅方向である左右方向に沿って筐体２に対して投射レンズ鏡筒６を移動、すなわちシフト可能に支持する移動支持機構１８が構成されている。
【００３６】
第１のマウント１５は、例えばマグネシウム合金などの、合成樹脂よりも比較的大きい剛性を有する金属製の部材で形成されている。また、この第１のマウント１５は、投射レンズ鏡筒６へと照明光を導く第１の孔部２１が穿設された筐体側基盤部としての固定マウントである略四角枠状の第１の本体部２２と、この第１の本体部２２の下端部からこの第１の本体部２２に対して略直交する方向に突出して一体に設けられたプリズム載置部２３とを有している。
【００３７】
第１の孔部２１は、投射レンズ鏡筒６の内径寸法より大きい径寸法を有し、短軸よりも若干大きい長軸を上下方向に沿って有する略楕円形状に形成されている。すなわち、第１の孔部２１は、第１の本体部２２の上下方向に沿って若干長孔状に形成されている。
【００３８】
第１の本体部２２は、上下方向両端部および幅方向両側部に、第１のマウント１５の外周となる筐体側外周側面としての第１の外周側面３１をそれぞれ備えている。これら第１の外周側面３１は、光軸に沿った方向に面方向を有する、すなわち光軸に対して平行な平面状に形成されている。したがって、第１の外周側面３１は、四角枠状に形成されている。
【００３９】
また、第１の本体部２２の上端部および下端部に位置した第１の外周側面３１には、ガイド部としての蟻溝嵌合部である第１のガイド部３２がそれぞれ突出して一体に設けられている。これら第１のガイド部３２は、第１の本体部２２の幅方向に沿って連続して形成されている。そして、第１のガイド部３２の後側には、第１の本体部２２の後方向に向けて光軸に向かう方向に沿って傾斜した第１の傾斜面３３がそれぞれ設けられている。これら第１の傾斜面３３は、第１のガイド部３２の幅方向全体に亘って設けられている。したがって、第１のガイド部３２は、図４に示すように、側面視で略三角形状に形成されている。
【００４０】
さらに、第１の本体部２２の第１の外周側面３１の内周側には、図１に示すように、筐体側内周側面としての第１の内周側面３４が光軸に向かう方向に沿って第１の孔部２１に亘って延設されている。この第１の内周側面３４は、光軸と交差する方向である直交方向に沿って面方向を有し、第１の孔部２１の周囲全体に連続して設けられている。
【００４１】
そして、第１の本体部２２の第１の外周側面３１における第１のガイド部３２が設けられた一対の辺部と異なる辺部である幅方向の一側部には、第１の本体部２２の前方に向けて直線状に延出し、外装カバーに対して第１の本体部２２を支持する支持部３５ａが第１の本体部２２に一体に形成されて設けられている。この支持部３５ａは、第１の本体部２２の前方に鋭角状の先端部が位置した側面視略三角形状に設けられている。また、この第１の本体部２２の左右方向の他端側には、同じく第１の本体部２２を外装カバーに対して支持する支持部３５ｂが第１の本体部２２に一体に形成されている。
【００４２】
さらに、第１の本体部２２の第１の外周側面３１の下部における支持部３５ａの下方には、軸受としての第１の挿通部４１が下方に向けて突出して一体に設けられている。この第１の挿通部４１には、第１の挿通口４２が第１の本体部２２の幅方向に沿って形成されている。この第１の挿通口４２は、第１の挿通部４１の下端部を凹弧状に切り欠いて設けられている。またさらに、この第１の挿通口４２には、図８および図９に示すように、スクリュ螺子である第１の送り螺子４３が挿通され、ねじ４２ａで固定された蓋板４２ｂで下側が支持されている。
【００４３】
そして、図１に示すように、第１の本体部２２の第１の外周側面３１の下部には、軸受としての第１の軸支部４４が下方に向けて突出して一体に設けられている。この第１の軸支部４４は、第１の本体部２２の幅方向に沿って第１の挿通部４１と離間され、第１の本体部２２の下端部に位置した第１のガイド部３２の側方に設けられている。また、この第１の軸支部４４の下端部には、第１の送り螺子４３の先端側を回動可能に軸支する第１の軸支口４５が切り欠き形成され、ねじ４５ａで固定された蓋板４５ｂが取り付けられている。さらに、第１の軸支部４４は、第１の本体部２２の幅方向に沿って第１の挿通部４１に対して略直線状に設けられており、第１の挿通口４２と第１の軸支口４５とが一直線上に位置している。
【００４４】
さらに、第１の送り螺子４３には、図９に示すように、連結部としての固定部材である第１のナット４６が螺合されている。この第１のナット４６は、第１の挿通部４１と第１の軸支部４４との間に位置している。そして、この第１のナット４６は、第１の送り螺子４３の第２のマウント１６側である前側に突出し、第２のマウント１６の下端部に固定されている。
【００４５】
また、第１の送り螺子４３の第１の挿通部４１側に突出した基端側には、平歯車である第１の螺子側ギヤ４７が挿通されて固定されている。さらに、第１の送り螺子４３の側方のプリズム載置部２３の下面部には、第１の送り螺子４３を回動させる駆動手段としての第１のモータ４８が取り付けられている。この第１のモータ４８は、第１の送り螺子４３の軸方向に対して平行に取り付けられ、回転軸４９の先端側に、第１の螺子側ギヤ４７に歯合される平歯車である第１のモータ側ギヤ５０が挿通されて固定されている。
【００４６】
そして、第１のモータ４８の駆動により第１のモータ側ギヤ５０および第１の螺子側ギヤ４７を介して第１の送り螺子４３が回動することで、第２のマウント１６および第３のマウント１７が、第１のマウント１５に対して相対的に、光軸と直交する左右方向、すなわち幅方向にシフトする。
【００４７】
また、図６に示すように、第１の挿通部４１と第１の軸支部４４の互いに対向する側の面の上側（第１の外周側面３１側）には、第２のマウント１６の第１のマウント１５に対する移動範囲、すなわちシフト範囲を規制するストッパ部４１ａ，４４ａがそれぞれ設けられている。
【００４８】
ストッパ部４１ａは、第１の挿通部４１に、ストッパ部４４ａは、第１の軸支部４４にそれぞれ一体に、すなわち第１の本体部２２に一体に設けられている。一方、後述する第２のマウント１６には、連動部１６ａが一体に設けられ、この連動部１６ａには、第１のナット４６が係合する係合部１６ｃと、ストッパブロック１６ｄとが形成されている。さらに、このストッパブロック１６ｄの両側部には、ストッパ当接部１６ｅ，１６ｆが形成されている。
【００４９】
そうして、第２のマウント１６が、左右方向に移動すると、第２のマウント１６の下側に形成されたストッパ当接部１６ｅ，１６ｆが第２のマウント１６のシフト方向に対応してストッパ部４１ａ、あるいはストッパ部４４ａに当接し、第２のマウント１６のシフト範囲が規制される。
【００５０】
一方、プリズム載置部２３は、図１、図２および図８などに示すように、第１の本体部２２の下端部からこの第１の本体部２２に対して直交する方向である後方向に向けて水平に突出して一体に設けられている。このため、第１のマウント１５は、側面視で略Ｌ字状に形成されている。また、プリズム載置部２３は、第１の本体部２２の幅寸法と略等しい幅寸法を有している。さらに、プリズム載置部２３は、図６に示すように、第１の孔部２１の下端部の一部を閉塞している。そして、プリズム載置部２３は、図８に示すように、第１のマウント１５を筐体２の主筐体１１に取り付けた状態で、この主筐体１１の取付凹部１３の下部を閉塞する。
【００５１】
また、プリズム載置部２３上には、図７に示すように、ＬＣＤパネル４ｒ，４ｇ，４ｂおよび前記ダイクロイッククロスプリズムがそれぞれ配設されている。このため、ＬＣＤパネル４ｒ，４ｇ，４ｂおよびダイクロイッククロスプリズムは、第１のマウント１５を主筐体１１に取り付けた状態で主筐体１１の取付凹部１３内に位置する。ここで、ダイクロイッククロスプリズムは、一側面を第１の孔部２１に対向させた状態で配設されている。一方、ＬＣＤパネル４ｒ，４ｇ，４ｂは、ダイクロイッククロスプリズムの３つの他側面にそれぞれ対向して配設されている。そして、ダイクロイッククロスプリズムは、ＬＣＤパネル４ｒ，４ｇ，４ｂを介して所定の映像信号に応じて変調された３色の色光を合成光に合成して投射レンズ鏡筒６に入射させるものである。
【００５２】
第２のマウント１６は、図１および図２に示すように、例えばアルミニウム合金などの、合成樹脂よりも比較的剛性が大きい金属製の部材にて略四角枠状に一体に形成され、投射レンズ鏡筒６へと照明光を導く第２の孔部５１が穿設された、後述する第３の本体部１０２に対して筐体側基盤部であり、かつ第１の本体部２２に対して鏡筒側基盤部である第２の本体部５２を有している。
【００５３】
第２の孔部５１は、第１の孔部２１の幅寸法および上下方向寸法よりも大きい幅寸法および上下方向寸法を有する四角形状に形成され、第２のマウント１６を第１のマウント１５に取り付けた状態で第１の孔部２１と連通する。
【００５４】
第２の本体部５２は、第１のマウント１５の第１の本体部２２に対して光軸に直交する所定の方向である左右方向にシフト可能であるとともに、第３のマウント１７を介して投射レンズ鏡筒６を支持している。また、この第２の本体部５２は、上下方向両端部および幅方向両側部に、第２のマウント１６の外周となる筐体側外周側面としての鏡筒側外周側面である第２の外周側面５３をそれぞれ備えている。これら第２の外周側面５３は、光軸に沿った方向に面方向を有する、すなわち光軸に対して平行な平面状に形成されている。このため、第２の外周側面５３は、四角枠状に形成されている。
【００５５】
なお、連動部１６ａすなわちストッパ当接部１６ｅ，１６ｆは、第２の外周側面５３の下側に、第２の本体部５２に一体に形成されている。
【００５６】
さらに、第２の本体部５２は、図６に示すように、第１のマウント１５の第１の本体部２２と略等しい幅方向の寸法およびこの第１の本体部２２の上下方向の寸法よりも大きい上下方向の寸法を有している。そして、第２の本体部５２は、第１の本体部２２と幅方向および上下方向の中心域を略位置合わせした状態で第１の本体部２２の前側面に密着して取り付けられる。したがって、第２の本体部５２は、第２のマウント１６を第１のマウント１５に取り付けた状態で、上端部および下端部が第１の本体部２２から上下方向にそれぞれ突出する。
【００５７】
さらに、図２に示すように、第２の外周側面５３の上端部および下端部の後部には、平面状の第１のガイド取付部５４がそれぞれ設けられている。これら第１のガイド取付部５４は、第２の本体部５２の幅方向に沿って四角形状に設けられ、第２のマウント１６を第１のマウント１５に取り付けた状態で、それぞれ第１の本体部２２の上方および下方に位置している。またさらに、これら第１のガイド取付部５４には、複数、例えば３つの第１の螺子孔５５が第１の本体部２２の幅方向に沿って互いに離間されて設けられている。そして、第１のガイド取付部５４のそれぞれには、図１および図２に示すように、被ガイド部としての蟻溝構成手段である第１の被ガイド部５６が、固定手段としての複数、例えば３つずつの螺子５７にて螺子止めされている。
【００５８】
第１の被ガイド部５６は、第１のマウント１５の第１のガイド部３２にそれぞれ摺接して案内、すなわちガイドされるものであり、例えばポリカーボネイト（ｐｏｌｙｃａｒｂｏｎａｔｅ）などの合成樹脂にて細長四角板状に形成されている。そして、この第１の被ガイド部５６は、第２の本体部５２の幅方向に沿って取り付けられている。
【００５９】
また、第１の被ガイド部５６の後部、すなわち第２の本体部５２と反対側の側面には、補強用の被ガイド部リブ６１が複数突出して一体に設けられている。これら被ガイド部リブ６１の間の一部には、螺子５７の軸部５７ａが挿通される取付孔としての第１の螺子挿通孔６２がそれぞれ穿設されている。これら第１の螺子挿通孔６２は、上下方向に沿って若干長孔状に形成されている。このため、螺子５７は、第１の螺子挿通孔６２に遊嵌され、すなわち相対的に上下方向に移動可能になっている。またさらに、螺子５７は、第１の螺子挿通孔６２に挿通されて第１の螺子孔５５に螺子止めされることで、第１の被ガイド部５６を第１のガイド取付部５４に固定する。そして、これら螺子５７および第１の螺子挿通孔６２により、溝幅調整手段６３が構成されている。
【００６０】
さらに、図１、図２および図４に示すように、第１の被ガイド部５６の第１の本体部２２に対向する側面には、後方向に向けて光軸に向かう方向に沿って傾斜した第１の傾斜ガイド面６４が設けられている。したがって、この第１の傾斜ガイド面６４により、図８に示すように、第２のマウント１６の後側に側面視で略三角形状の空間部である蟻溝部６５が、第２の本体部５２の移動方向、すなわちシフト方向である左右方向に沿って形成されている。このため、この蟻溝部６５は、第１の螺子挿通孔６２の上下方向に沿って第１の被ガイド部５６を若干移動させてこの第１の被ガイド部５６を螺子５７にて螺子止めすることで、幅が変化する。言い換えると、溝幅調整手段６３は、螺子５７を緩めた状態では、蟻溝部６５の幅を変化させる方向に沿って第１の被ガイド部５６を移動可能にする。
【００６１】
そして、第１の被ガイド部５６は、第１の傾斜ガイド面６４を第１のガイド部３２の第１の傾斜面３３に当接させた状態で、第１のガイド部３２をそれぞれ第２のマウント１６とで挟むように第２のマウント１６に螺子止めされている。このため、第１のガイド部３２は、蟻溝部６５に摺動可能に嵌合している。言い換えると、第１の傾斜ガイド面６４に第１の傾斜面３３が当接することで、第１のガイド部３２は第１の被ガイド部５６に摺接する。この結果、螺子５７にて第１の被ガイド部５６を第１のガイド取付部５４に取り付けることで、第２の本体部５２が第１の本体部２２に取り付けられて光軸と直交する左右方向に沿ってシフト可能に支持される。すなわち、第２のマウント１６が、第１のマウント１５にガイドされた状態でこの第１のマウント１５に対して光軸と直交する左右方向に沿ってシフト可能となる。
【００６２】
ここで、第１の傾斜ガイド面６４と第１の傾斜面３３との間には、第１のガイド部３２と第１の被ガイド部５６との摺接を円滑にする潤滑剤としての図示しないグリースが塗布されている。
【００６３】
なお、溝幅調整手段６３は、上下方向の２つの第１の被ガイド部５６に対して設けられているが、いずれか一方の第１の被ガイド部５６の第１の螺子挿通孔６２についてのみ上下方向に若干長孔状に形成し、他方の第１の被ガイド部５６の第１の螺子挿通孔６２については、螺子５７との間にがたつきを生じない大きさとするとともに、この他方の第１の被ガイド部５６については、第１のガイド取付部５４に取り付けた状態で、第１の傾斜ガイド面６４の左右方向が水平となるように、第１の螺子孔５５および第１の螺子挿通孔６２などを形成する。
【００６４】
このように構成することで、第２の本体部５２を第１の本体部２２に取り付ける際に次の利点がある。
【００６５】
すなわち、他方の第１の被ガイド部５６（第１の螺子挿通孔６２が、螺子５７との間にがたつきを生じない大きさに形成されている側）の第１の傾斜ガイド面６４に、第１の本体部２２の第１のガイド部３２の一方を当接させた状態とし、次いで、一方の第１の被ガイド部５６（第１の螺子挿通孔６２が、上下方向に若干長孔状に形成されている側）を、上下方向に移動しながら蟻溝部６５の幅を調整して第２の本体部５２を第１の本体部２２に取り付ければ、第２の本体部５２を左右方向に対して容易に水平な状態で第１の本体部２２に対して取り付けできる。
【００６６】
なお、例えば、第１の螺子挿通孔６２が、上下方向に若干長孔状に形成されている側の一方の第１の被ガイド部５６を下側に、また、第１の螺子挿通孔６２が、螺子５７との間にがたつきを生じない大きさに形成されている側の他方の第１の被ガイド部５６を上側に配置する。
【００６７】
また、図１、図２、図５および図８に示すように、第２の本体部５２の幅方向の他側部の下端部、すなわち第２の本体部５２の幅方向における支持部３５ｂ側の下端部には、軸受としての第２の挿通部７１が第２の本体部５２の前方に向けて水平に突出して一体に設けられている。この第２の挿通部７１には、第２の挿通口７２が第２の本体部５２の上下方向に沿って形成されている。この第２の挿通口７２は、第２の挿通部７１の前部を凹弧状に切り欠いて設けられている。さらに、この第２の挿通口７２には、図８に示すように、スクリュ螺子である第２の送り螺子７３が挿通されている。
【００６８】
そして、図１に示すように、第２の本体部５２の第２の外周側面５３における第２の挿通部７１の上方には、軸受としての第２の軸支部７４が第２の本体部５２の前方に向けて突出して一体に設けられている。この第２の軸支部７４は、第２の挿通部７１と離間されている。また、この第２の軸支部７４の前部には、図１および図５に示すように、第２の送り螺子７３の先端側を回動可能に軸支する第２の軸支口７５が切り欠き形成されている。またさらに、この第２の軸支部７４は、第２の本体部５２の上下方向に沿って第２の挿通部７１に対して略直線状に設けられており、第２の挿通口７２と第２の軸支口７５とが一直線上に位置している。
【００６９】
さらに、第２の送り螺子７３には、図８に示すように、連結部としての固定部材である第２のナット７６が螺合されている。この第２のナット７６は、第２の挿通部７１と第２の軸支部７４との間に位置している。そして、この第２のナット７６は、第２の送り螺子７３の第３のマウント１７側に突出し、第３のマウント１７の幅方向の他側部に固定されている。また、第２の送り螺子７３の第２の挿通部７１の下方に突出した基端側には、連結ギヤとしての平歯車である第２の螺子側ギヤ７７が挿通されて固定されている。
【００７０】
またさらに、第２の本体部５２の下端部には、図１、図２および図５などに示すように、四角平面状のモータ取付部８１が下方に突出して一体に設けられている。このモータ取付部８１は、第２の挿通部７１に対して第２の本体部５２の幅方向の中心側の位置に設けられている。また、このモータ取付部８１には、図８に示すように、第２の送り螺子７３を回動させる駆動手段としての第２のモータ８２が取付板としてのガード部８３を介して取り付けられている。
【００７１】
第２のモータ８２は、第２の送り螺子７３の軸方向に対して平行に取り付けられ、回転軸８４の先端側に、第２の螺子側ギヤ７７に歯合される平歯車である第２のモータ側ギヤ８５が挿通されて固定されている。そして、第２のモータ８２の駆動により第２のモータ側ギヤ８５および第２の螺子側ギヤ７７を介して第２の送り螺子７３が回動することで、第３のマウント１７が第２のマウント１６に対して相対的に、光軸と直交する上下方向にシフトする。ここで、第１のマウント１５に対する第２のマウント１６の幅方向である左右方向のシフト量は、液晶プロジェクタ１の取り付け精度などを考慮して、投射像の移動量が、図示しないスクリーンの幅寸法に対して、例えば５％程度となるようにし、第２のマウント１６に対する第３のマウント１７の上下方向のシフト量と比較して小さくなるように設定されている。言い換えると、投射レンズ鏡筒６は、左右方向のシフト量が上下方向のシフト量よりも小さくなっている。
【００７２】
また、第２の本体部５２の第２の外周側面５３の内周側には、図１に示すように、筐体側内周側面としての鏡筒側内周側面である第２の内周側面８６が光軸に向かう方向に沿って第２の孔部５１に亘って延設されている。この第２の内周側面８６は、光軸と直交する方向である直交方向に沿って面方向を有し、第２の孔部５１の周囲全体に連続して設けられている。そして、この第２の内周側面８６は、第２の本体部５２の後側に位置している。したがって、第２の本体部５２には、図５に示すように、第２の本体部５２の第２の外周側面５３の内側に位置し第３のマウント１７が嵌合する嵌合空間部８７が、第２の内周側面８６の前方に形成されている。この嵌合空間部８７は、外周を第２の外周側面５３で囲まれた四角形状に形成されている。
【００７３】
ガード部８３は、例えば金属製の板材を折曲して形成され、図８および図９に示すように、モータ取付部８１に取り付けられる略四角平板状の本体部８８を備えている。この本体部８８の上端部には、第２のモータ８２が上側に取り付けられる平板状のモータ取付板部８８ａが、前方向に向けて突出して一体に設けられている。このモータ取付板部８８ａは、平面視で五角形状に形成され、本体部８８の側方に延出している。
【００７４】
また、本体部８８の下端部は、モータ取付部８１よりも下方に突出し、第２の螺子側ギヤ７７および第２のモータ側ギヤ８５の下部を保護すなわちガードする四角平板状のガード板部８８ｂが、後方向に向けて水平に突出して一体に設けられている。またさらに、ガード板部８８ｂの後端部には、上方に向けて屈曲され、ガード端板部８８ｃが一体に設けられている。このガード端板部８８ｃは、ガード部８３をモータ取付部８１に取り付けた状態で、このモータ取付部８１の下端部に当接してガード部８３をモータ取付部８１に固定する。そして、本体部８８、モータ取付板部８８ａおよびガード板部８８ｂにより、ガード部８３は側面視で略クランク状に屈曲されている。すなわち、ガード部８３は、モータプロテクタとなっている。
【００７５】
さらに、第２の本体部５２の幅方向の両側部の前部には、図１に示すように、平面状の第２のガイド取付部９１がそれぞれ設けられている。これら第２のガイド取付部９１は、第２の本体部５２の上下方向に沿って四角形状に設けられている。またさらに、これら第２のガイド取付部９１には、複数、例えば３つずつの第２の螺子孔９２が第２の本体部５２の上下方向に沿って互いに離間されてそれぞれ設けられている。そして、第２のガイド取付部９１には、それぞれガイド部としての蟻溝構成手段である第２のガイド部９３が、固定手段としての複数、例えば３つずつの螺子９４にてそれぞれ螺子止めされている。
【００７６】
第２のガイド部９３は、例えばポリカーボネイトなどの合成樹脂にて細長四角板状に形成されている。そして、この第２のガイド部９３は、第２の本体部５２の上下方向に沿って取り付けられている。
【００７７】
また、第２のガイド部９３の前部、すなわち第２の本体部５２と反対側の側面には、図１および図５に示すように、補強用のガイド部リブ９５が複数突出して一体に設けられている。これらガイド部リブ９５の間の一部には、図１に示すように、螺子９４の軸部９４ａが挿通される取付孔としての第２の螺子挿通孔９６がそれぞれ穿設されている。これら第２の螺子挿通孔９６は、第２の本体部５２の幅方向に沿って若干長孔状に形成されている。このため、螺子９４は、第２の螺子挿通孔９６に遊嵌され、すなわち相対的に左右方向に移動可能になっている。またさらに、螺子９４は、第２の螺子挿通孔９６に挿通されて第２の螺子孔９２に螺子止めされることで、第２のガイド部９３を第２のガイド取付部９１に固定する。そして、これら螺子９４および第２の螺子挿通孔９６により、溝幅調整手段９７が構成されている。
【００７８】
さらに、第２のガイド部９３の第２の本体部５２に対向する側面には、図１および図３に示すように、前方向に向けて光軸に向かう方向に沿って傾斜した第２の傾斜面９８が設けられている。したがって、この第２の傾斜面９８により、図７に示すように、第２のマウント１６の前側に平面視で略三角形状の空間部である蟻溝部９９が上下方向に沿って形成されている。このため、この蟻溝部９９は、第２の螺子挿通孔９６の上下方向に沿って第２のガイド部９３を若干移動させてこの第２のガイド部９３を螺子９４にて螺子止めすることで、幅が変化する。言い換えると、溝幅調整手段９７は、螺子９４を緩めた状態では、蟻溝部９９の幅を変化させる方向に沿って第２のガイド部９３を移動可能にする。
【００７９】
そして、第２の本体部５２の後側面には、図２に示すように、第２の本体部５２を補強する補強リブ１００が多数設けられている。
【００８０】
第３のマウント１７は、図１および図２に示すように、一般的な金属に比べて比較的軽量な例えばポリカーボネイトなどの合成樹脂で略四角枠状に形成され、投射レンズ鏡筒６へと照明光を導く第３の孔部１０１が穿設された、鏡筒側基盤部としての第３の本体部１０２を有している。
【００８１】
第３の孔部１０１は、投射レンズ鏡筒６の外形寸法と略等しい内径寸法を有する円形状に形成され、第３のマウント１７を第２のマウント１６に取り付けた状態で第１の孔部２１および第２の孔部５１にそれぞれ連通する。
【００８２】
第３の本体部１０２は、第２のマウント１６の第２の本体部５２に対して光軸に直交する所定の方向である上下方向にシフト可能であるとともに、投射レンズ鏡筒６を支持している。言い換えると、第２の本体部５２は、第３の本体部１０２による投射レンズ鏡筒６のシフト方向に対して相対的に固定されている。また、第３の本体部１０２は、第２のマウント１６の第２の本体部５２の嵌合空間部８７の内部、すなわち第２の外周側面５３の内周側よりも若干上下方向に小さい四角形状の外形を有し、この嵌合空間部８７に嵌合して第２のマウント１６に取り付けられる。したがって、第３のマウント１７は、第２のマウント１６よりも小さく形成され、この第２のマウント１６の内側に位置している。
【００８３】
さらに、第３の本体部１０２は、上下方向両端部および幅方向両側部に、第３のマウント１７の外周となる鏡筒側外周側面としての第３の外周側面１０３をそれぞれ備えている。これら第３の外周側面１０３は、光軸に沿った方向に面方向を有する、すなわち光軸に対して平行な平面状に形成されている。このため、第３の外周側面１０３は、四角枠状に形成されている。
【００８４】
また、第３の本体部１０２の幅方向両側部に位置した第３の外周側面１０３には、被ガイド部としての蟻溝嵌合部である第２の被ガイド部１０４がそれぞれ突出して一体に設けられている。これら第２の被ガイド部１０４は、第２のマウント１６の第２のガイド部９３にそれぞれ摺接してガイドされるものであり、第３の本体部１０２の上下方向に沿って連続して形成されている。
【００８５】
さらに、第２の被ガイド部１０４の前側には、図１ないし図３に示すように、第３の本体部１０２の前方向に向けて光軸に向かう方向に沿って傾斜した第２の傾斜ガイド面１０５がそれぞれ設けられている。これら第２の傾斜ガイド面１０５は、第２の被ガイド部１０４の幅方向全体に亘って設けられている。したがって、第２の被ガイド部１０４は、平面視で略三角形状に形成されている。
【００８６】
そして、第２の被ガイド部１０４は、第２のガイド部９３の第２の傾斜面９８に第２の傾斜ガイド面１０５が当接した状態で、第２のガイド部９３と第２のマウント１６とで挟まれ、蟻溝部９９に摺動可能に嵌合している。言い換えると、第２の傾斜面９８に第２の傾斜ガイド面１０５が当接することで、第２の被ガイド部１０４は第２のガイド部９３に摺接する。この結果、螺子９４にて第２のガイド部９３を第２のガイド取付部９１に取り付けることで、第３の本体部１０２が第２の本体部５２に取り付けられて光軸と直交する上下方向に沿ってシフト可能に支持される。すなわち、第３のマウント１７は、第２のマウント１６にガイドされた状態でこの第２のマウント１６に対して光軸と直交する上下方向に沿ってシフト可能となる。
【００８７】
ここで、第２の傾斜ガイド面１０５と第２の傾斜面９８との間には、第２のガイド部９３と第２の被ガイド部１０４との摺接を円滑にする潤滑剤としての図示しないグリースが塗布されている。
【００８８】
なお、溝幅調整手段９７は、左右方向の２つの第２のガイド部９３に対して設けられているが、いずれか一方の第２のガイド部９３の第２の螺子挿通孔９６についてのみ左右方向に若干長孔状に形成し、他方の第２のガイド部９３の第２の螺子挿通孔９６については、螺子９４との間にがたつきを生じない大きさとするとともに、この他方の第２のガイド部９３については、第２のガイド取付部９１に取り付けた状態で、第２の傾斜面９８の上下方向が鉛直となるように、第２の螺子孔９２および第２の螺子挿通孔９６などを形成する。
【００８９】
このように構成することで、第３の本体部１０２を第２の本体部５２に取り付ける際に次の利点がある。
【００９０】
すなわち、他方の第２のガイド部９３（第２の螺子挿通孔９６が、螺子９４との間にがたつきを生じない大きさに形成されている側）の第２の傾斜面９８に、第３の本体部１０２の第２の被ガイド部１０４の一方を当接させた状態とし、次いで、一方の第２のガイド部９３（第２の螺子挿通孔９６が、左右方向に若干長孔状に形成されている側）を、左右方向に移動しながら蟻溝部９９の幅を調整して第３の本体部１０２を第２の本体部５２に取り付ければ、第３の本体部１０２を上下方向に対して容易に鉛直な状態で第２の本体部５２に対して取り付けできる。
【００９１】
なお、例えば、第２の螺子挿通孔９６が、左右方向に若干長孔状に形成されている側の一方の第２のガイド部９３を前方に向かって左側に、また、第２の螺子挿通孔９６が、螺子９４との間にがたつきを生じない大きさに形成されている側の他方の第２のガイド部９３を前方に向かって右側に配置する。
【００９２】
また、第３の本体部１０２の第３の外周側面１０３の内周側には、図１に示すように、鏡筒側内周側面としての第３の内周側面１０６が光軸に向かう方向に沿って第３の孔部１０１に亘って延設されている。この第３の内周側面１０６は、光軸と直交する方向である直交方向に沿って面方向を有し、第３の孔部１０１の周囲全体に連続して設けられている。さらに、この第３の内周側面１０６は、第３の本体部１０２の後側に位置している。したがって、第３の本体部１０２には、図５に示すように、第３の本体部１０２の第３の外周側面１０３の内側に位置し投射レンズ鏡筒６が嵌合する鏡筒嵌合部１０７が、第３の内周側面１０６の前方に形成されている。この鏡筒嵌合部１０７は、外周を第３の外周側面１０３で囲まれた四角形状に形成されている。
【００９３】
そして、第３の内周側面１０６の四隅には、図１および図２に示すように、投射レンズ鏡筒６を第３のマウント１７に取り付ける際の螺子孔となる鏡筒螺子孔１１１が穿設されている。すなわち、これら鏡筒螺子孔１１１は、第３の外周側面１０３寄りの位置に設けられている。
【００９４】
また、第３の内周側面１０６と第３の外周側面１０３との間には、図１および図５に示すように、補強用の複数のリブ１１２が設けられている。これらリブ１１２は、第３の外周側面１０３の各辺部に対向してそれぞれ２つ以上、すなわち複数ずつ、互いに略等間隔に離間されて全体に略均等になるように設けられている。さらに、これらリブ１１２は、第３の本体部１０２の前側から第３の内周側面１０６の前面に向けて突出寸法が大きくなるように設けられている。このため、リブ１１２は、後側の部分が第３の孔部１０１の周縁部の近傍に位置している。
【００９５】
そして、第３の本体部１０２の後側面には、図２に示すように、第３の本体部１０２を補強する補強リブ１１３が多数設けられている。
【００９６】
一方、投射レンズ鏡筒６は、図１および図２に示すように、例えばアルミニウム合金などで形成されたカム筒１２１およびガイド筒１２２により、二重の円筒状に形成されている。ガイド筒１２２は、ダイクロイッククロスプリズムにより色合成された光源３からの照明光を、図示しないスクリーン上などに投射する複数のレンズＬを内部に保持している。そして、投射レンズ鏡筒６は、これらカム筒１２１、あるいはガイド筒１２２を投射レンズ鏡筒６の周方向に回動させてレンズＬの位置を光軸に沿って変化させることにより、画像のズーム機能、あるいはピント調整（フォーカス）機能を有する。
【００９７】
さらに、ガイド筒１２２の軸方向の一端側である筐体２側、すなわち第３のマウント１７側の端部の近傍の外周面には、鏡筒嵌合部１０７に嵌合するフランジ面となるフランジ１２３が突出して一体に設けられている。このフランジ１２３は、正面視で鏡筒嵌合部１０７の内形よりも若干小さい外形を有する四角形状に形成され、ガイド筒１２２の径方向に向けて突出している。
【００９８】
また、フランジ１２３の四隅には、螺子止め用のフランジ螺子孔１２４がそれぞれ穿設されている。これらフランジ螺子孔１２４には、投射レンズ鏡筒６の前側から鏡筒固定手段としての鏡筒留め螺子１２５が挿通され、これら鏡筒留め螺子１２５が鏡筒螺子孔１１１に螺子止めされることで、投射レンズ鏡筒６が第３のマウント１７に対して固定される。このとき、フランジ１２３は、第３のマウント１７の第３の本体部１０２の第３の内周側面１０６の面積の２分の１以上と互いに重なり合うように、第３の内周側面１０６に固定される。そして、フランジ１２３の外周は、図５に示すように、投射レンズ鏡筒６を第３のマウント１７に取り付けた状態でリブ１１２の近傍に位置する。
【００９９】
次に、上記一実施の形態の液晶プロジェクタの組み立て方法を説明する。
【０１００】
まず、第１のマウント１５の第１の本体部２２の前側面を第２のマウント１６の第２の本体部５２の後側面に当接させた状態で、第２の本体部５２の第１のガイド取付部５４に一対の第１の被ガイド部５６を螺子５７にて取り付け、第１のマウント１５の一対の第１のガイド部３２を、一対の第１の被ガイド部５６により形成される蟻溝部６５にそれぞれ嵌合させる。
【０１０１】
このとき、螺子５７を緩めた状態で、第１の被ガイド部５６の第１の螺子挿通孔６２の上下方向の中心位置を、第１のガイド取付部５４の第１の螺子孔５５の上下方向の中心位置に対して若干上下方向にずらして蟻溝部６５の幅を変化させ、この蟻溝部６５の幅が一対の第１のガイド部３２の幅に合う位置で螺子５７を締め付けて、一対の第１の被ガイド部５６を螺子５７にて第１のガイド取付部５４にそれぞれ螺子止めする。
【０１０２】
さらに、第３のマウント１７の第３の本体部１０２を第２のマウント１６の第２の本体部５２の嵌合空間部８７に嵌合させ、第３の本体部１０２の後側面を第２の本体部５２の前側面に当接させた状態で、第２の本体部５２の第２のガイド取付部９１に一対の第２のガイド部９３を螺子９４にて取り付け、第３のマウント１７の一対の第２の被ガイド部１０４を、一対の第２のガイド部９３により形成される蟻溝部９９にそれぞれ嵌合させる。
【０１０３】
このとき、螺子９４を緩めた状態で、第２のガイド部９３の第２の螺子挿通孔９６の左右方向の中心位置を、第２のガイド取付部９１の第２の螺子孔９２の左右方向の中心位置に対して若干左右方向にずらして蟻溝部９９の幅を変化させ、この蟻溝部９９の幅が一対の第２の被ガイド部１０４の幅に合う位置で螺子９４を締め付け、一対の第２のガイド部９３を螺子９４にて第２のガイド取付部９１にそれぞれ螺子止めする。
【０１０４】
そして、各螺子側ギヤ４７，７７を取り付けるとともに各ナット４６，７６をそれぞれ螺合させた各送り螺子４３，７３を、各挿通部４１，７１および各軸支部４４，７４にそれぞれ取り付け、かつ各モータ４８，８２をそれぞれ所定の位置に取り付け、鏡筒支持装置５を完成する。
【０１０５】
さらに、照明光学系を所定の位置に配設した筐体２の主筐体１１の取付凹部１３の下部に、第１のマウント１５のプリズム載置部２３を嵌合させた状態で、鏡筒支持装置５を筐体２に図示しない螺子などで取り付ける。
【０１０６】
この後、投射レンズ鏡筒６のフランジ１２３を第３のマウント１７の第３の本体部１０２の鏡筒嵌合部１０７に嵌合させ、フランジ螺子孔１２４に鏡筒留め螺子１２５を挿通させて鏡筒螺子孔１１１に螺子止めして、投射レンズ鏡筒６を鏡筒支持装置５に固定することで、この鏡筒支持装置５を介して投射レンズ鏡筒６を筐体２に固定し、光学系ユニットＵを完成させる。
【０１０７】
そして、この光学系ユニットＵに、ＬＣＤパネル４ｒ、４ｇ，４ｂおよびダイクロイッククロスプリズムを配置した後、これら光学系ユニットＵ、ＬＣＤパネル４ｒ、４ｇ，４ｂおよびダイクロイッククロスプリズムを外装カバー内に組み込んで液晶プロジェクタ１を完成する。
【０１０８】
次に、上記一実施の形態の動作を説明する。
【０１０９】
光源３から照射された照明光は、照明光学系によりＲ（赤）、Ｇ（緑）、Ｂ（青）の３色の色光に分光され、これらＲ（赤）、Ｇ（緑）、Ｂ（青）の色光は、それぞれＬＣＤパネル４ｒ，４ｇ，４ｂに入射して、これらＬＣＤパネル４ｒ，４ｇ，４ｂにより変調される。
【０１１０】
さらに、ＬＣＤパネル４ｒ，４ｇ，４ｂにより変調された各色光は、ダイクロイッククロスプリズムにより合成光に色合成され、第１の孔部２１、第２の孔部５１および第３の孔部１０１を介して投射レンズ鏡筒６のレンズＬに入射する。
【０１１１】
そして、投射レンズ鏡筒６から、図示しないスクリーンなどに向けて投射像が投射される。
【０１１２】
ここで、投射像をスクリーンに対して幅方向にシフトさせる際には、第１のモータ４８を駆動させることで第１のモータ側ギヤ５０が回動し、この第１のモータ側ギヤ５０に歯合された第１の螺子側ギヤ４７が回動して、第１の送り螺子４３が周方向に回動する。
【０１１３】
そして、この第１の送り螺子４３に螺合された第１のナット４６により、第２のマウント１６が、第１の送り螺子４３に対して相対的に第３のマウント１７とともにシフトする。
【０１１４】
このとき、上下一対の第１の被ガイド部５６が、第１のマウント１５の上下一対の第１のガイド部３２に摺接することで、この第１のガイド部３２により第１のマウント１５の幅方向にガイドされることで、第２のマウント１６が、第１のマウント１５に対して相対的に、光軸と直交する左右方向に移動、すなわちシフトする。この結果、第３のマウント１７に固定された投射レンズ鏡筒６が筐体２に対して光軸と直交する左右方向にシフトすることで、投射像の左右方向の位置が変化する。
【０１１５】
また、第２のマウント１６の左右方向のシフトは、第２のマウント１６のストッパ当接部１６ｅ，１６ｆが第１のマウント１５側のストッパ部４１ａ，４４ａに当接することなどにより、規制される。
【０１１６】
一方、投射像をスクリーンに対して上下方向に移動させる際には、第２のモータ８２を駆動させることで第２のモータ側ギヤ８５が回動し、この第２のモータ側ギヤ８５に歯合された第２の螺子側ギヤ７７が回動して、第２の送り螺子７３が周方向に回動する。
【０１１７】
そして、この第２の送り螺子７３に螺合された第２のナット７６により、第３のマウント１７が、第２のマウント１６に対して相対的に移動する。
【０１１８】
このとき、左右一対の第２の被ガイド部１０４が、第２のマウント１６の左右一対の第２のガイド部９３に摺接し、この第２のガイド部９３により第２のマウント１６の上下方向にガイドされることで、第３のマウント１７が、第２のマウント１６に対して相対的に、光軸と直交する上下方向にシフトする。この結果、第３のマウント１７に固定された投射レンズ鏡筒６が筐体２に対して光軸と直交する上下方向にシフトすることで、投射像の上下方向の位置が変化する。
【０１１９】
また、第３のマウント１７の上下方向のシフトは、第２のマウント１６の第２の外周側面５３の上下部に第３の本体部１０２の第３の外周側面１０３の上下部が当接することなどにより、規制される。
【０１２０】
そして、カム筒１２１およびガイド筒１２２を回動させることで、レンズＬの互いの位置を変化させて投射像のスクリーン上でのピントなどを調整する。
【０１２１】
上述したように、上記一実施の形態では、鏡筒支持装置５を、投射レンズ鏡筒６の左右方向の移動に対して相対的に固定された第１の本体部２２と、投射レンズ鏡筒６の上下方向の移動に対して相対的に固定された第２の本体部５２とに、それぞれ各ガイド部３２，９３を設け、各ガイド部３２，９３に摺接してガイドされる各被ガイド部５６，１０４を、各本体部２２，５２に取り付けられた各本体部５２，１０２にそれぞれ設ける構成とした。
【０１２２】
このため、第１の本体部２２に対する第２の本体部５２の光軸と直交する左右方向の移動、および、第２の本体部５２に対する第３の本体部１０２の光軸と直交する上下方向の移動を、各ガイド部３２，９３にて直接ガイドでき、投射レンズ鏡筒６を支持する枠体である各本体部５２，１０２の他にガイドポールなどを別個に設ける必要がないので、部品点数の低減および省スペース化、すなわちコンパクト化が可能となるとともに、ガイドポールの取り付け工程などが不要となるから、製造性を向上できる。
【０１２３】
さらに、投射レンズ鏡筒６の光軸の方向に沿って各外周側面３１，５３，１０３を各本体部２２，５２，１０２に設けたため、各本体部２２，５２，１０２の光軸方向への剛性を確保できるとともに、各外周側面３１，５３，１０３の内周側に、光軸に向かう方向に沿って各内周側面３４，８６，１０６を延設することで、各本体部２２，５２，１０２の光軸に直交する方向への剛性を確保できる。
【０１２４】
そして、第３の本体部１０２を第２の本体部５２の内側の嵌合空間部８７内に配置し、第３の本体部１０２は、第３の本体部１０２の上下の第３の外周側面１０３が、第２の本体部５２の上下の第２の外周側面５３に当接することにより、上下方向のシフト範囲を規制される。このため、別個にストッパ部を設ける必要がなく、部品点数の低減およびストッパ部の取り付け作業の削減などが可能になり、製造性をより向上できる。
【０１２５】
またさらに、第３のマウント１７の第３の外周側面１０３と第３の内周側面１０６との間の各辺部に、それぞれ２つ以上のリブ１１２を設けることで、第３の本体部１０２の剛性をより向上できる。
【０１２６】
また、上記一実施の形態では、第３の本体部１０２および投射レンズ鏡筒６を支持する第２の本体部５２を光軸と直交する左右方向に移動させ、投射レンズ鏡筒６を支持し第２の本体部５２よりも筐体２から遠い第３の本体部１０２を光軸と直交する上下方向に移動させる構成とした。
【０１２７】
このため、第２のマウント１６を上下方向に移動させ第３のマウント１７を左右方向に移動させる場合と比較して、左右方向に移動させるよりも負荷が大きい上下方向に移動させる重量を低減でき、第２のモータ８２に加わる負荷をより抑制できる。
【０１２８】
さらに、上記一実施の形態では、投射レンズ鏡筒６が第３の本体部１０２の鏡筒嵌合部１０７内に支持された状態で外側部がリブ１１２の近傍に位置するフランジ１２３を投射レンズ鏡筒６に設けるとともに、鏡筒螺子孔１１１を第３の内周側面１０６の第３の外周側面１０３寄りの位置に設け、フランジ１２３を、第３の内周側面１０６の面積の２分の１以上と互いに重なり合うように第３の内周側面１０６の第３の外周側面１０３寄りの位置に鏡筒留め螺子１２５にて固定する構成とした。
【０１２９】
このため、アルミニウム合金製のカム筒１２１およびガイド筒１２２などで構成された投射レンズ鏡筒６の比較的大きい重量を、第３の内周側面１０６の２分の１以上の面積でフランジ１２３を介して受けるとともに、第３の外周側面１０３に分散することができる。
【０１３０】
この結果、第３の内周側面１０６の撓みを減少させることができ、第３の本体部１０２を、ポリカーボネイトなどの合成樹脂で形成することが可能になるとともに、第３の本体部１０２の重量の増加が抑制されることで、第２のモータ８２に加わる負荷をより抑制できる。
【０１３１】
そして、ガード部８３を設けることにより、光学系ユニットＵを外装カバーに組み込む際、あるいは光学系ユニットＵを運搬などする際に、第２の螺子側ギヤ７７および第２のモータ側ギヤ８５が外装カバー、あるいは他の物などに接触して損傷するおそれを防止できる。
【０１３２】
またさらに、第２の螺子側ギヤ７７および第２のモータ側ギヤ８５をガードするガード部８３が第２のモータ８２を支持する部材を兼ねていることにより、部品点数の増加を抑制し、製造コストを抑制できる。
【０１３３】
また、上記一実施の形態では、第２の本体部５２に、蟻溝部６５，９９を構成する対をなす第１の被ガイド部５６および第２のガイド部９３を取り付け、蟻溝部６５，９９の幅を変化させる方向に沿って第１の被ガイド部５６および第２のガイド部９３を移動可能にする溝幅調整手段６３，９７を設け、かつ第１の本体部２２および第３の本体部１０２に、蟻溝部６５，９９に摺動可能に嵌合する第１のガイド部３２および第２の被ガイド部１０４を設ける構成とした。
【０１３４】
この結果、第１のガイド部３２および第２の被ガイド部１０４が蟻溝部６５，９９にがたつきなく嵌合し、かつ円滑に摺動させることが容易に可能となるため、投射レンズ鏡筒６をがたつきなく円滑に左右方向および上下方向にそれぞれ移動させることができる。
【０１３５】
しかも、螺子５７，９４と、各螺子挿通孔６２，９６とで溝幅調整手段６３，９７を構成することで、比較的簡単な構成で蟻溝部６５，９９の幅を変化させることができ、製造コストを抑制できる。
【０１３６】
さらに、各ガイド部３２，９３と各被ガイド部５６，１０４との摺接部を蟻溝部６５，９９とすることで、摺接部を四角形状の溝部などとした場合と比較して摺接面積が小さくなるので、各本体部５２，１０２を各本体部２２，５２に対して、より円滑に摺接させることができる。
【０１３７】
そして、製造性を向上した鏡筒支持装置５を備えることで、液晶プロジェクタ１の製造性をも向上でき、製造コストを抑制できるとともに、投射レンズ鏡筒６を上下方向および左右方向に沿ってがたつきなく円滑に移動させることが可能となり、投射像の位置を上下方向および左右方向に移動させてスクリーン上の所望の位置に投射させることができるなど、液晶プロジェクタ１の使い勝手を容易に向上できる。
【０１３８】
なお、上記一実施の形態において、例えば第３のマウント１７を使用せずに、投射レンズ鏡筒６を第２のマウント１６の第２の本体部５２に取り付け、この第２の本体部５２を第１のマウント１５の第１の本体部２２に対して上下方向、あるいは左右方向に移動可能とすることで、投射レンズ鏡筒６を上下方向、あるいは左右方向のみに移動させる構成とすることも可能である。この場合には、鏡筒支持装置５および液晶プロジェクタ１の構成を、より簡略化でき、製造性をより向上できる。
【０１３９】
また、第１の被ガイド部５６および第２のガイド部９３を、それぞれ第２の本体部５２に突出して設け、第１のガイド部３２および第２の被ガイド部１０４をそれぞれ第１の本体部２２および第３の本体部１０２に取り付けるようにするなどの構成も可能である。
【０１４０】
さらに、各送り螺子４３，７３は、各モータ４８，８２以外にも、例えば手動などで回動させることも可能である。
【０１４１】
【発明の効果】
請求項１記載の鏡筒支持装置によれば、筐体側基盤部に設けられたガイド部に摺接して案内される被ガイド部を、筐体側基盤部に取り付けられた鏡筒側基盤部に設けることで、鏡筒側基盤部の移動を筐体側基盤部のガイド部にて直接案内できるため、例えばガイドポールなどを別個に設ける必要がないので、部品点数の低減および省スペース化が可能となるとともにガイドポールの取り付け工程などが不要となるから、製造性を向上できる。
【０１４２】
請求項２記載の鏡筒支持装置によれば、請求項１記載の鏡筒支持装置の効果に加えて、鏡筒の光軸に交差する方向に沿って筐体側基盤部に設けた枠状の筐体側外周側面の内周側に、光軸に向かう方向に沿って筐体側内周側面を延設することで、筐体側基盤部の光軸方向および光軸に交差する方向への剛性を確保できるとともに、鏡筒の光軸に交差する方向に沿って鏡筒側基盤部に設けた枠状の鏡筒側外周側面の内周側に、光軸に向かう方向に沿って鏡筒側内周側面を延設することで、鏡筒側基盤部の光軸方向および光軸に交差する方向への剛性も確保できる。
【０１４３】
請求項３記載の鏡筒支持装置によれば、請求項２記載の鏡筒支持装置の効果に加えて、筐体側基盤部および鏡筒側基盤部のいずれか一方を、いずれか他方の内側に配置し、筐体側外周側面のガイド部が設けられている一対の辺部と異なる辺部、および、鏡筒側外周側面の被ガイド部が設けられている一対の辺部と異なる辺部の少なくともいずれか一方の一部を、鏡筒側基盤部の移動を規制するストッパ部とすることで、別個にストッパ部を設ける必要がなく、部品点数の低減およびストッパ部の取り付け作業の削減などが可能になり、製造性をより向上できる。
【０１４４】
請求項４記載の鏡筒支持装置によれば、請求項２または３記載の鏡筒支持装置の効果に加えて、筐体側外周側面および筐体側内周側面の間と、鏡筒側外周側面および鏡筒側内周側面の間との少なくともいずれか一方の各辺部に、それぞれ２つ以上のリブを設けることで、筐体側基盤部および鏡筒側基盤部の少なくともいずれか一方の剛性を確保できる。
【０１４５】
請求項５記載の投射型表示装置によれば、請求項１ないし４いずれか一記載の鏡筒支持装置を備えることで、製造性を向上できるとともに、光軸と交差する所定の方向に沿って光学機器本体に対して鏡筒が移動可能となり、使い勝手を向上できる。
【０１４６】
請求項６記載の投射型表示装置によれば、鏡筒が鏡筒側基盤部に支持された状態で外側部がリブの近傍に位置し、かつ鏡筒側基盤部の鏡筒側内周側面の面積の２分の１以上と互いに重なり合うように鏡筒側内周側面に固定されるフランジを鏡筒に設けることで、鏡筒の重量による鏡筒側内周側面の撓みを減少させることができる。
【図面の簡単な説明】
【図１】本発明の一実施の形態の鏡筒支持装置を前側から示す分解斜視図である。
【図２】同上鏡筒支持装置を後側から示す分解斜視図である。
【図３】同上鏡筒支持装置の一部を示す分解平面図である。
【図４】同上鏡筒支持装置の一部を示す分解側面図である。
【図５】同上鏡筒支持装置を示す正面図である。
【図６】同上鏡筒支持装置を示す裏面図である。
【図７】同上鏡筒支持装置を備えた投射型表示装置を示す平面図である。
【図８】同上投射型表示装置を示す側面図である。
【図９】同上投射型表示装置を示す下面図である。
【符号の説明】
１    投射型表示装置としての液晶プロジェクタ
２    光学機器本体としての筐体
３    光源
４ｂ，４ｇ，４ｒ    光変調手段としてのＬＣＤパネル
５    鏡筒支持装置
６    鏡筒としての投射レンズ鏡筒
２２    筐体側基盤部としての第１の本体部
３１    筐体側外周側面としての第１の外周側面
３２    ガイド部としての第１のガイド部
３４    筐体側内周側面としての第１の内周側面
４１ａ，４４ａ    ストッパ部
５２    筐体側基盤部としての鏡筒側基盤部である第２の本体部
５３    筐体側外周側面としての鏡筒側外周側面である第２の外周側面
５６    被ガイド部としての第１の被ガイド部
８６    筐体側内周側面としての鏡筒側内周側面である第２の内周側面
９３    ガイド部としての第２のガイド部
１０２    鏡筒側基盤部としての第３の本体部
１０３    鏡筒側外周側面としての第３の外周側面
１０４    被ガイド部としての第２の被ガイド部
１０６    鏡筒側内周側面としての第３の内周側面
１１２    リブ
１２３    フランジ
【図１】
2004317913.tif 000003
【図２】
2004317913.tif 000004
【図３】
2004317913.tif 000005
【図４】
2004317913.tif 000006
【図５】
2004317913.tif 000007
【図６】
2004317913.tif 000008
【図７】
2004317913.tif 000009
【図８】
2004317913.tif 000010
【図９】
2004317913.tif 000011